(57)【要約】　　　（修正有）【課題】安価で潅水、施肥の管理に手の掛からない壁面用立体花壇容器の提供。【解決手段】ペットボトル１の底部及び頂部を切り取り、少なくとも一側面には植付孔を、他の一側面には鍵穴型の取付孔１ｅ，１ｆを設けて成るペットボトルを複数個逆さにして壁面に取り付ける。【選択図】　図１
2004049179.tif 000002
【特許請求の範囲】
【請求項１】
ペットボトルの底面の少なくとも一部を切り取り、一側面には植付孔を、他の一側面には取付孔を設けて成るペットボトルを利用した植物栽培器。
【請求項２】
更にペットボトルの頂部が切り取られた請求項１に記載の植物栽培器。
【請求項３】
植付孔が丸孔として一側面の２箇所に設けられ、取付孔が鍵穴型であり植付孔を設けた面と反対側の側面に２箇所に設けられた、請求項１又は２に記載の植物栽培器。
【請求項４】
請求項１ないし３のいずれか一に記載の植物栽培器を複数個、ペットボトルの底部側を上にして、所望の壁面に設けた釘状の取付具により、その壁面に、最上部の植物栽培器に注がれた水が順次下方の植物栽培器に流下するよう上下方向に連結して取り付けて、垂直ユニットを形成し、この垂直ユニットを横方向に多数配置して成る立体花壇。
【請求項５】
用いられた植物栽培器に適宜のコンポストを充填し、植物を植え込んで成る請求項４に記載の立体花壇。
【請求項６】
更に、ペットボトルを隠蔽するカバーを有する請求項４又は５に記載の立体花壇。
【発明の詳細な説明】
【０００１】
【発明が属する技術分野】
本発明は、立体花壇、特にペットボトルを利用して成る立体花壇に関する。
【０００２】
【従来の技術】
今日では、壁面を花で飾るため、様々な立体花壇、空中花壇が提案されている。然しながら従来の花壇は、高価である上、潅水及び施肥の管理に手が掛かり、草花を最高の状態に保持することが困難である。
又、従来の立体花壇では広い壁面を隈なく花又は観葉植物で覆うようにすることは困難であった。
一方、今日では、大量に廃棄されるペットボトルの再利用の必要性が叫ばれている。
又、省エネルギーの観点から、建物の冷房負荷を軽減する技術が求められている。
又、都市のヒートアイランド化を防止し、過剰な炭酸ガスを吸収し、地球温暖化を防止するためと、激しい雨を吸収し、洪水を防止するため都市の緑化が計画されている。
これらが一挙に解決できれば好都合である。
【０００３】
【発明が解決しようとする課題】
本発明は、叙上の課題を解決するためなされたものであって、その目的とするところは、安価に設置でき、潅水及び施肥の管理が簡単な立体花壇を提供することにある。
又、本発明は、広い壁面に一杯の花や観葉植物を植え込むことができる立体花壇を提供することにある。
【０００４】
又更に、本発明の目的とするところは、今日廃棄物として強くリサイクルが求められているペットボトルの有効利用方法を提供することにある。
更に本発明の他の目的は、この立体花壇により建物を覆うことにより、当該建物の冷房負荷を引き下げることにある。
本発明の更に他の目的は、都市のビルの屋上に、壁面を利用して立体花壇を形成することにより都市の緑化に貢献することにある。
【０００５】
【課題を解決するための手段】
叙上の課題は、本発明に係る立体花壇により解決される。
本発明にかかる立体花壇は、ペットボトルの底部を切り取り、少なくとも一側面には植付孔を、他の一側面には取付孔を設けて成るペットボトルを利用した植物栽培器により形成される。
【０００６】
この植物栽培器を複数個、ペットボトルの底部側を上にして、所望の壁面に設けた釘状の取付具により、その壁面に、最上部の植物栽培器に注がれた水が順次下方の植物栽培器に流下するよう上下方向に連結して取り付けて、垂直ユニットを形成し、この垂直ユニットを横方向に多数配置して立体花壇を形成する。
而して、この立体花壇に用いられた植物栽培器に適宜のコンポストを充填し、植物を植え込んで立体花壇を形成する。
【０００７】
【発明の実施の形態】
以下図面により本発明の一実施例について説明する。
【実施例】
図１は、本発明に係る植物栽培器の１実施例を示す正面図、
図２は、図１に示した植物栽培器の背面図、
図３は、その側面図、
図４は、上面図、
図５は、底面図であり、
図６は、上記の植物栽培器を用いた立体花壇の一部を示す正面図である。
【０００８】
植物栽培器１は、市販の飲料用ペットボトルを用いて製作されるものであり、頂部の口を切り潅水排出口１ａを設け、底を切り取って潅水口１ｂとする。
次いで正面とする一側面に２箇所、丸い苗植込穴１ｃ、１ｄを設け、背面側に鍵穴状の取付穴１ｅ、１ｆを設ける。
【０００９】
建物の壁面等に沿わせて取付ボード（図示せず）を設け、図６に示すように、植物栽培器１を複数個、ペットボトルの底部側を上にして、取付ボードに設けた釘状などの取付具１１により、最上部の植物栽培器に注がれた水が順次下方の植物栽培器に流下するよう上下方向に連結して取り付けて、垂直ユニットを形成し、この垂直ユニットを横方向に多数配置して立体花壇を形成する。
コンポストの乾燥を防ぐため、上側の植物栽培器の下端部を下側の植物栽培器の上端部にはめ込むようにすることが推奨される。ペットボトルの頂部を切り取るのはこのはめ込みを容易にし、上下の植込穴のピッチを一定にするためである。そして、立体花壇の前面を、植込穴を残して、適宜のカバーで覆うようにすることが推奨される。
このカバーとしては、ココファイバーなどからなる織布又は不織布が推奨される。
【００１０】
そして、適宜のコンポスト、例えば、ココファイバー（ヤシの実の繊維）を用いて、それぞれの植物栽培器の苗植込穴に所望の花苗を植え込むものである。
使用するペットボトルはできるだけ容量の大きいものが望ましい、容量２リットルのものが推奨されるが、立体花壇を設置する場所によっては小型のものが用いられる。
【００１１】
尚、植物の種類によっては、ペットボトルの頂部を切り取らない場合もあり、又、底部は完全に切除せず、上部の植物栽培器の潅水排出口が挿入されるようペットボトルの底面に開口を設けても良い。
苗植込穴は、栽培する植物に応じて、１箇所又は３箇所とすることもあり、形状も四角形、ひし形、三角形などとすることも推奨される。
取付具の形状は釘状の外、鉤形などであっても良く、取付穴の形状はそれらの取付具の形状に合わせて構成する。
【００１２】
この立体花壇は上記の如く構成されるので、最上段の植物栽培器に充分に潅水すれば、水は順次下段の栽培器に流下しコンポストを潤すから、潅水はきわめて容易で、手が掛からないものである。
【００１３】
又上記には、取付ボードを建物の壁面に沿わせて設けるよう説明したが、このようにすると建物に壁が遮熱され、栽培器から蒸散する水分の影響で冷却されるので、夏季の冷房負荷が減少する効果がある。又逆に、冬季夜間の晴天時には建物からの熱放射をさえぎるので冷え込みが防止されるものである。
この立体花壇は、都市の緑化対策として、ビルなどの屋上庭園として設けることが推奨される。
【００１４】
使用する取付ボードは、自立型として、仕切り、ポ−ル、アーチ、ゲート、フェンスなどとして構成できるものである。
又、これを利用して様々なオブジェを構成することができる。
【００１５】
【発明の効果】
本発明は叙上の如く構成されるから、本発明によるときは、廃棄物として強くリサイクルが求められているペットボトルを有効に利用するので安価に設置でき、潅水及び施肥の管理が簡単で、広い壁面に一杯の花や観葉植物を植え込むことができる立体花壇を提供することができ、この立体花壇により建物を覆うことにより、当該建物の冷房負荷を引き下げることができ、都市のビルの屋上に、壁面などを利用して立体花壇を形成することにより都市の緑化とヒートアイランド化、地球温暖化の軽減に貢献することができる。
【図面の簡単な説明】
【図１】本発明に係る植物栽培器の１実施例を示す正面図である。
【図２】図２は、図１に示した植物栽培器の背面図である。
【図３】図３は、図１に示した植物栽培器の側面図である。
【図４】図４は、図１に示した植物栽培器の上面図である。
【図５】図５は、図１に示した植物栽培器の底面図である。
【図６】図６は、上記の植物栽培器を用いた立体花壇の一部を示す正面図である。
【符号の説明】
１　　　植物栽培器
１ａ　　　潅水排出口
１ｂ　　　潅水口
１ｃ、１ｄ　　　苗植込穴
１ｅ、１ｆ　　取付穴
１１　　　取付具
【図１】
2004049179.tif 000003
【図２】
2004049179.tif 000004
【図３】
2004049179.tif 000005
【図４】
2004049179.tif 000006
【図５】
2004049179.tif 000007
【図６】
2004049179.tif 000008